(57)【要約】【課題】持ち運びや収納の容易なモールドカップ部を有する女性用被服を提供する。【解決手段】  ブラジャー１０は、モールド加工により立体成型された左右一対のカップ１を有し、左右のカップ１のそれぞれの内側表面６は凹曲面であって、内側表面６を平面で切断したときの切断線に沿って、左右のカップ１のそれぞれの内側表面６に溝８が設けられている。これにより、カップ１の内側表面に設けた溝８に沿って、左右のカップ１のそれぞれを内側に折り畳むことができるので、カップ１に皺をつけることなく、ブラジャー１０全体をコンパクトに畳むことができる。また、溝８はカップ１の内側に設けているので、カップ１の外側の表面はモールド加工により接ぎ目がなく滑らかに形成し、バスト部分を皺や歪みの少ない美しい形状にすることができる。【選択図】図２
0003180471.tif 000002
【実用新案登録請求の範囲】
【請求項１】
モールド加工により立体成型された左右一対のカップを有する女性用被服であって、
前記左右のカップのそれぞれの内側表面は凹曲面であって、当該内側表面を平面で切断したときの切断線に沿って、前記左右のカップのそれぞれの内側に溝が設けられた、
カップを有する女性用被服。
【請求項２】
前記溝は、前記左右のカップのそれぞれの内側表面を平面で縦、横、斜めのうちのいずれかの方向に切断したときの切断線に沿って設けられる、請求項１に記載のカップを有する女性用被服。
【請求項３】
ブラジャー、ブラトップ、ブラジャー付きスリップ、ブラジャー付きキャミソール、ブラジャー付きタンクトップ、ブラ付きワンピース、水着、レオタード、ボディスーツのうちのいずれかである、請求項１又は２に記載のカップを有する女性用被服。
【考案の詳細な説明】
【技術分野】
【０００１】
本考案は、カップを有する女性用被服に関し、特にモールド加工により立体成型されてなるカップを有する女性用被服に関する。
【背景技術】
【０００２】
一般に、ブラジャーのカップには、立体形状を形成するため複数の布を接いだものが用いられ、例えば、上側カップ体を構成する布と下側カップ体を構成する布を縫い合わせて立体形状を形成する。一方、このようなブラジャーの上に、アウターとして例えば薄く、且つ体にフィットしたＴシャツ等の衣類を着用した場合は、外からブラジャーのラインが透けやすく、女性にとっては好ましい状況ではなかった。
【０００３】
これに対し、最近では、モールド加工により立体成型されてなるカップ（以下、単に「モールドカップ」ともいう）が実用化されている。モールドカップは、接ぎ目がなく表面が滑らかであるのでアウターに響きにくいこと、皺や歪みの少ない極めて美しい形状のカップを成形できること等の利点がある（例えば、特許文献１を参照）。
【０００４】
このような利点から、ブラジャーだけでなくボディスーツ、キャミソール、タンクトップ、スリップ、レオタード、水着その他のモールドカップを有する女性用被服が広く普及している。
【先行技術文献】
【特許文献】
【０００５】
【特許文献１】特開２０００−２２６７０４号公報
【考案の概要】
【考案が解決しようとする課題】
【０００６】
しかしながら、従来のモールドカップは、ウレタンフォーム等の反発性を有する素材を用いるため、折り畳みにくく、嵩張る。また、長時間カップの上に物を置いて、カップが潰れた状態になると、皺ができてしまい、容易に復元できなくなる。そのため、例えばブラジャーをバッグ等に入れて持ち運ぶ場合やタンス等に収納する場合にはカップを潰さないように立体的にたたむ必要があり、嵩張りやすく不便であるという課題がある。
【０００７】
このような課題は、ブラジャーだけでなく、従来のモールドカップを有する女性用被服にも共通する課題である。
【０００８】
そこで、本考案の目的は、持ち運びや収納の容易なモールドカップ部を有する女性用被服を提供することにある。
【課題を解決するための手段】
【０００９】
上記の課題を解決するために、本考案のある態様に係るカップを有する女性用被服は、モールド加工により立体成型された左右一対のカップを有する女性用被服であって、前記左右のカップのそれぞれの内側表面は凹曲面であって、当該内側表面を平面で切断したときの切断線に沿って、左右のカップのそれぞれの内側に溝が設けられたものである。
【００１０】
上記構成により、モールド加工により立体成型されたカップの内側に設けた溝に沿って、左右のカップのそれぞれを内側に折り畳むことができるので、当該カップに皺をつけることなく、被服全体をコンパクトに畳むことができる。また、上記溝はカップの内側に設けているので、カップの外側表面はモールド加工により接ぎ目がなく滑らかに形成し、バスト部分を皺や歪みの少ない美しい形状にすることができる。
【００１１】
前記溝は、前記左右のカップのそれぞれの内側表面を平面で縦、横、斜めのうちのいずれかの方向に切断したときの切断線に沿って設けられてもよい。
【００１２】
上記構成により、例えば左右のカップのそれぞれを縦に揃えて折り畳むことができ、被服全体をコンパクトに畳むことができる。
【００１３】
上記カップを有する女性用被服は、ブラジャー、ブラトップ、ブラジャー付きスリップ、ブラジャー付きキャミソール、ブラジャー付きタンクトップ、ブラ付きワンピース、水着、レオタード、ボディスーツのうちのいずれかであってもよい。
【考案の効果】
【００１４】
本考案によれば、持ち運びや収納の容易なモールドカップを有する女性用被服を提供することができる。
【図面の簡単な説明】
【００１５】
【図１】本考案の実施の形態に係るブラジャーの概略的な正面図である。
【図２】本考案の実施の形態に係るブラジャーの概略的な背面図である。
【図３】図２のブラジャーのカップのＡ−Ａ´断面図である。
【図４】本考案の実施の形態に係るブラジャーを折り畳んだ状態の概略図である。
【考案を実施するための形態】
【００１６】
本考案の実施の形態を、図面を参照しつつ説明する。
【００１７】
（実施の形態）
以下、本考案の実施の形態を、図面を参照しながら説明する。以下の説明では、本考案に係るカップを有する女性用被服の実施形態としてブラジャーを例示する。なお、以下では全図を通じて同一又は相当する要素には同一の参照符号を付して、特に言及しない場合にはその重複する説明を省略する。
【００１８】
図１は、本考案の実施の形態に係るブラジャー１０の概略的な正面図である。図２は、本考案の実施の形態に係るブラジャー１０の概略的な背面図である。
【００１９】
図１及び図２に示すように、ブラジャー１０は、カップ１と、ベルト２と、ストラップ３と、ホック４と、カップ１の内側に設けた溝８を備える。
【００２０】
カップ１は、バストを包み込むために、乳房に合わせた左右一対の２つのカップであって、カップの内側表面が凹曲面のお椀の形状を有している。カップ１はモールド加工により熱成形加工を施すことにより立体成型されたカップ体である。本実施の形態では、カップ１の素材は反発性を有するウレタンフォームを使用している。また、カップ１の素材の外側表面は表生地５により被覆され、カップ１の素材の内側表面は裏生地６により被覆されている。
【００２１】
ベルト２は、アンダーバストから背中まで胸部を一周するように囲む帯状の部分であって、２つのカップ１と一体となっており、左右のカップ１が外れないように固定する。
【００２２】
ストラップ３は、左右のカップ１の上端から伸びる、長さの調節できる肩紐であって、肩を廻って背中でベルト２と繋がっている。ブラジャー１０は、バストを下から支え、カップ１によってバストの形を整えるようになっているので、ベルト２でカップ１が胸部に密着するようにする必要があると共に、ストラップ３で肩から支えカップを含めたブラジャー全体が下にずれ落ちないようにする必要がある。そのためストラップ３で、肩からブラジャー１０を吊るす構造となっている。また、ブラジャー１０は、ストラップ３の無い、ストラップレスタイプのブラジャーであってもよい。
【００２３】
ホック４は、ベルト２の両端に設けられ、本実施の形態では背中側にある。背中側にホックがある場合、ベルト２は背中の部分で繋がっておらず、ホック４を繋ぎ合わせることでベルト２を結び合わせる。ブラジャー１０の装着は、ホック４を止めることで完了する。また、ホック４は背中側ではなく左右のカップの間にあって、ベルトが背中の部分で繋がったフロントホックタイプのブラジャーであってもよい。また、ホックを持たないタイプのブラジャーであってもよい。
【００２４】
カップ１内側の溝８は、図２に示すように、左右のカップ１のそれぞれの内側表面６を平面で切断したときの切断線に沿って、内側表面６に設けられている。本実施の形態では、カップ１中央付近の内側表面６を平面で縦方向に切断したときの切断線に沿って設けられている。
【００２５】
図３は、図２のブラジャー１０のカップ１のＡ−Ａ´断面図である。図３に示すように、カップ１は、バストアップやバストの形状を整えるためにその厚さは部位によって異なるように形成される。ここでは、カップの厚さは、カップ中央で厚く、カップの縁では薄くなっている。そして、本実施の形態では、カップ中央の内側表面において、溝８は、モールドカップの素材であるウレタンフォーム７を部分的に薄く成形されたものである。すなわち、溝８は、平面視からの形態が内側表面６に沿った線状の形態を有し、且つ断面視からの形態がＶ字状の形態を有している。
このような構成としたことで、カップ１を図３の矢印方向に内側に折り畳むことができる。ここで溝８のサイズは、カップ１のサイズや形状によっても異なるが、本実施形態では、開口部の幅が１０ｍｍ、溝の深さが５ｍｍのサイズの溝８が設けられている。
【００２６】
図４は、ブラジャー１０を折り畳んだ状態の概略図である。図４に示すように、カップ１に皺をつけることなく、カップ１のそれぞれを内側から縦に揃えて折り畳むことができるので、ブラジャー１０全体をコンパクトに畳むことができる。
【００２７】
モールドカップは、反発性を有するポリウレタン等を素材として使用するため、折り畳みにくく、嵩張る。また、長時間カップの上に物を置いて、カップが潰れた状態になると、皺ができてしまい、容易に復元できなくなる。そのため、例えばブラジャーをバッグ等に入れて持ち運ぶ場合やタンス等に収納する場合にはカップを潰さないように立体的にたたむ必要があり、嵩張りやすく不便であった。
【００２８】
本考案によれば、カップ内側に形成された折り畳みラインに沿ってカップを折り畳むことができるので、カップに皺が発生することはない。よって、持ち運びや収納の際に便利である。
【００２９】
また、溝８はカップ１の内側に設けているので、モールド加工によりカップ１の外側の表面は接ぎ目がなく滑らかに形成され、バスト部分を皺や歪みの少ない美しい形状に維持できる。よって、持ち運びや収納の容易なモールドカップ部を有する女性用被服を提供することが可能となる。
【００３０】
なお、本実施の形態では、溝８を、左右のカップのそれぞれの内側表面を平面で縦方向に切断したときの切断線に沿って設けたがこれに限られるものではなく、内側表面を平面で横方向、又は斜め方向に切断したときの切断線に沿って設けてもよい。このような構成であっても、上記実施の形態と同様な効果を奏することができる。
【００３１】
なお、本実施の形態では、溝８の形状は、平面視からの形態が内側表面６に沿った線状の形態を有し、且つ断面視からの形態がＶ字状の形態を有するような形状としたが、これに限られることはなく、断面視からの形態が凹状又は半円状の溝であってもよい。
【００３２】
なお、本実施の形態では、カップ１の素材はウレタンフォームを使用したが、これに限られるものではなく、モールド加工により立体成型されたカップ体であれば、不織布により立体成型されたカップ体であってもよく、ダブルラッセル編地により立体成型されたカップ体、又はそれらの組み合わせによりカップを構成してもよい。
【００３３】
なお、本実施の形態では、カップ部を有する女性用被服として最も代表的なブラジャーについて説明したが、カップ部を有するものであれば特に限定されず本考案を適用することができる。例えば、ブラジャー、ブラトップ、ブラ付きＴシャツ、ブラジャー付きスリップ、ブラジャー付きキャミソール、ブラジャー付きタンクトップ、ブラ付きワンピース、水着、レオタード、ボディスーツその他の女性用被服のうちのいずれかであってもよい。
【００３４】
上記説明から、当業者にとっては、本考案の多くの改良や他の実施の形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００３５】
本考案は、モールドカップ部を有する女性用被服の持ち運びや収納に有用である。
【符号の説明】
【００３６】
１                    カップ
２                    ベルト
３                    ストラップ
４                    ホック
５                    カップ表生地
６                    カップ裏生地
７                    カップ素材（ウレタンフォーム）
８                    溝
１０                  ブラジャー
【図１】
0003180471.tif 000003
【図２】
0003180471.tif 000004
【図３】
0003180471.tif 000005
【図４】
0003180471.tif 000006